(57)【要約】【課題】色相および明度を変化させずに入力色信号を特定の色信号レベルにクリップする映像信号クリップ処理装置を提供する。【解決手段】入力ＲＧＢ信号から最大値α、中央値β、および最小値γを選択してＲＧＢ信号とαβγ信号との対応決定を行う識別信号Ｓを生成する大小選別器１、入力ＲＧＢ信号から明度Ｙを演算して出力するＲＧＢによる明度演算器２、大小選別手段の出力であるαβγ信号と、明度演算手段の出力である明度Ｙ、および設定値である上限クリップ値Ｃｍａｘを用いて、αβγ信号に対するクリップ処理を行い出力する上限クリップ処理器３、上限クリップ処理手段の出力であるαβγ信号と大小選択手段の出力である識別信号Ｓを用いて、αβγ信号からＲＧＢ信号へ戻すＲＧＢ選択器４を備えるものとする。【選択図】　　　　　図１
2004064234.tif 000002
【特許請求の範囲】
【請求項１】
入力データであるＲＧＢ信号からその大小関係である最大値α、中央値β、および最小値γを選択してＲＧＢ信号とαβγ信号との対応を決定する識別信号Ｓを生成する大小選択手段と、
入力ＲＧＢ信号から明度Ｙを演算して出力するＲＧＢによる明度演算手段と、前記大小選択手段から出力されたαβγ信号、前記明度演算手段から出力された明度Ｙ、および設定値である上限クリップ値Ｃｍａｘを用いてαβγ信号に対するクリップ処理を行い出力する上限クリップ処理手段と、
前記上限クリップ処理手段から出力されたαβγ信号と前記大小選択手段から出力された識別信号Ｓを用いてαβγ信号からＲＧＢ信号へ戻すＲＧＢ選択手段とを備えたことを特徴とする映像信号クリップ処理装置。
【請求項２】
入力データであるＲＧＢ信号からその大小関係である最大値α、中央値β、および最小値γを選択してＲＧＢ信号とαβγ信号との対応を決定する識別信号Ｓを生成する大小選択手段と、
前記大小選択手段から出力されたαβγ信号から明度Ｘを演算して出力するαβγによる明度演算手段と、
前記大小選択手段から出力されたαβγ信号、前記明度演算手段から出力された明度Ｘ、および設定値である上限クリップ値Ｃｍａｘを用いて、αβγ信号に対するクリップ処理を行い出力する上限クリップ処理手段と、
前記上限クリップ処理手段から出力されたαβγ信号と前記大小選択手段から出力された識別信号Ｓを用いて、αβγ信号からＲＧＢ信号へ戻すＲＧＢ選択手段とを備えたことを特徴とする映像信号クリップ処理装置。
【請求項３】
入力データであるＲＧＢ信号からその大小関係である最大値α、中央値β、および最小値γを選択しＲＧＢ信号とαβγ信号との対応を決定する識別信号Ｓを生成する大小選択手段と、
入力ＲＧＢ信号から明度Ｙを演算して出力するＲＧＢによる明度演算手段と、前記大小選択手段から出力されたαβγ信号、前記明度演算手段から出力された明度Ｙ、および設定値である下限クリップ値Ｃｍｉｎを用いて、αβγ信号に対するクリップ処理を行い出力する下限クリップ処理手段と、
前記下限クリップ処理手段から出力されたαβγ信号と前記大小選択手段から出力された識別信号Ｓを用いて、αβγ信号からＲＧＢ信号へ戻すＲＧＢ選択手段とを備えたことを特徴とする映像信号クリップ処理装置。
【請求項４】
入力データであるＲＧＢ信号からその大小関係である最大値α、中央値β、および最小値γを選択してＲＧＢ信号とαβγ信号との対応を決定する識別信号Ｓを生成する大小選択手段と、
前記大小選択手段から出力されたαβγ信号から明度Ｘを演算して出力するαβγによる明度演算手段と、
前記大小選択手段から出力されたαβγ信号、前記明度演算手段から出力された明度Ｘ、および設定値である下限クリップ値Ｃｍｉｎを用いて、αβγ信号に対するクリップ処理を行い出力する下限クリップ処理手段と、
前記下限クリップ処理手段から出力されたαβγ信号と前記大小選択手段から出力された識別信号Ｓを用いて、αβγ信号からＲＧＢ信号へ戻すＲＧＢ選択手段とを備えたことを特徴とする映像信号クリップ処理装置。
【請求項５】
入力データであるＲＧＢ信号からその大小関係である最大値α、中央値β、および最小値γを選択してＲＧＢ信号とαβγ信号との対応を決定する識別信号Ｓを生成する大小選択手段と、
入力ＲＧＢ信号から明度Ｙを演算して出力するＲＧＢによる明度演算手段と、前記明度演算手段から出力された明度Ｙと設定値である上限クリップ値Ｃｍａｘを用いて、αβγ信号に対するクリップ処理を行い出力する上限クリップ処理手段と、
前記明度演算手段から出力された明度Ｙと設定値である下限クリップ値Ｃｍｉｎを用いて、αβγ信号に対するクリップ処理を行い出力する下限クリップ処理手段と、
前記上限クリップ処理手段および前記下限クリップ処理手段から出力されたαβγ信号と前記大小選択手段から出力された識別信号Ｓを用いて、αβγ信号からＲＧＢ信号へ戻すＲＧＢ選択手段とを備えたことを特徴とする映像信号クリップ処理装置。
【請求項６】
入力データであるＲＧＢ信号からその大小関係である最大値α、中央値β、および最小値γを選択してＲＧＢ信号とαβγ信号との対応を決定する識別信号Ｓを生成する大小選択手段と、
前記大小選択手段から出力されたαβγ信号から明度Ｘを演算して出力するαβγによる明度演算手段と、
前記明度演算手段から出力された明度Ｘと設定値である上限クリップ値Ｃｍａｘを用いて、αβγ信号に対するクリップ処理を行い出力する上限クリップ処理手段と、
前記明度演算手段から出力された明度Ｘと設定値である下限クリップ値Ｃｍｉｎを用いて、αβγ信号に対するクリップ処理を行い出力する下限クリップ処理手段と、
前記上限クリップ処理手段および前記下限クリップ処理手段から出力されたαβγ信号と前記大小選択手段から出力された識別信号Ｓを用いて、αβγ信号からＲＧＢ信号へ戻すＲＧＢ選択手段とを備えたことを特徴とする映像信号クリップ処理装置。
【請求項７】
前記上限クリップ処理手段は、前記最大値αと前記上限クリップ値Ｃｍａｘ、および前記明度ＹまたはＸと前記上限クリップ値Ｃｍａｘを比較して前記最大値αが前記上限クリップ値Ｃｍａｘよりも小さい場合には、前記最大値α、前記中央値β、および前記最小値γをそのまま出力し、
前記最大値αが前記上限クリップ値Ｃｍａｘより大きく且つ前記明度ＹまたはＸが前記上限クリップ値Ｃｍａｘより大きい場合には、前記最大値α、前記中央値β、および前記最小値γを前記上限クリップ値Ｃｍａｘとして出力し、
前記最大値αが前記上限クリップ値Ｃｍａｘより大きく且つ前記明度ＹまたはＸが前記上限クリップ値Ｃｍａｘより小さい場合には、前記最大値αを前記上限クリップ値Ｃｍａｘとして出力し、
前記中央値βおよび前記最小値γを前記明度ＹまたはＸへ近づくように調整し、
前記明度ＹまたはＸが前記上限クリップ値Ｃｍａｘと等しくなると、前記中央値βおよび前記最小値γが前記上限クリップ値Ｃｍａｘとなるように演算して出力する手段を有することを特徴とする請求項１、請求項２、請求項５、請求項６のうちの何れか一項に記載の映像信号クリップ処理装置。
【請求項８】
前記下限クリップ処理手段は、前記最小値γと前記下限クリップ値Ｃｍｉｎ、および前記明度ＹまたはＸと前記下限クリップ値Ｃｍｉｎを比較して前記最小値γが前記下限クリップ値Ｃｍｉｎよりも大きい場合には、前記最大値α、前記中央値β、および前記最小値γをそのまま出力し、
前記最小値γが前記下限クリップ値Ｃｍｉｎより小さく且つ前記明度ＹまたはＸが前記下限クリップ値Ｃｍｉｎより小さい場合には、前記最大値α、前記中央値β、および前記最小値γを前記下限クリップ値Ｃｍｉｎとして出力し、
前記最小値γが前記下限クリップ値Ｃｍｉｎより小さく且つ前記明度ＹまたはＸが前記下限クリップ値Ｃｍｉｎより大きい場合には、前記最小値γを前記下限クリップ値Ｃｍｉｎとして出力し、
前記中央値βおよび前記最大値αを前記明度ＹまたはＸへ近づくように調整し、
前記明度ＹまたはＸが前記下限クリップ値Ｃｍｉｎと等しくなると、前記中央値βおよび前記最大値αが前記下限クリップ値Ｃｍｉｎとなるように演算して出力する手段を有することを特徴とする請求項３、請求項４、請求項５、請求項６のうちの何れか一項に記載の映像信号クリップ処理装置。
【請求項９】
前記ＲＧＢによる明度演算手段は、ａ＋ｂ＋ｃ＝１を満たす任意の係数ａ、ｂ、ｃを用いて、Ｙ＝ａ＊Ｒ＋ｂ＊Ｇ＋ｃ＊Ｂを演算して出力する手段を有することを特徴とする請求項１、請求項３、請求項５のうちの何れか一項に記載の映像信号クリップ処理装置。
【請求項１０】
前記αβγによる明度演算手段は、ａ＋ｂ＋ｃ＝１を満たす任意の係数ａ、ｂ、ｃを用いて、Ｘ＝ａ＊α＋ｂ＊β＋ｃ＊γを演算して出力する手段を有することを特徴とする請求項２、請求項４、請求項６のうちの何れか一項に記載の映像信号クリップ処理装置。
【発明の詳細な説明】
【０００１】
【発明の属する技術分野】
本発明は、カラー映像信号に対してレベル制限を行うための映像信号クリップ処理装置に関する。
【０００２】
【従来の技術】
モニター等の表示装置において、入力された色信号を表示する際に、表示装置の持つ信号レベル範囲が入力信号レベルよりも狭い場合がある。この際、表示装置の持つ信号レベル範囲外の信号に対して特定の値へ置き換えるクリップ処理を行うのが一般的である。
【０００３】
また、入力された色信号に対して色調整等の信号処理を行った場合に、処理の結果として特定の信号レベル範囲を超えてしまい、クリップ処理を行う必要が生じる場合もある。
【０００４】
従来の映像信号クリップ処理では、表示装置において表示可能な最大値より大きい入力に対しては最大値を出力し、表示可能な最小値より小さい入力に対しては最小値を出力するものであり、これを入力信号毎に処理することで如何なる入力色信号に対しても、表示装置の持つ信号レベル範囲内で表現することができるようになっている。
【０００５】
図１４は、従来の映像信号クリップ処理による色信号の入出力特性を示したグラフの一例であり、ＲＧＢ信号のうちＧ信号が出力可能な最大値Ｃｍａｘよりも大きいため、最大値Ｃｍａｘにクリップされている。
しかし、上記従来の技術では、映像信号クリップ処理が入力信号毎に独立であるため、どれか一つの信号がクリップされた場合にＲＧＢ信号の成分比が変わり、色信号の色相、彩度、明度等が変化してしまうという問題があった。
【０００６】
これを回避するための手段として、特開２００１−４５５１３号公報には、入力信号の一番大きい値がクリップされた場合に、他の信号も入力信号の比率が変わらないようにクリップすることにより、色変化が生じないピーククリップ回路が示されている。
【０００７】
図１５は、前記公報の実施例における構成を示すブロック図である。
図１５において、符号１１はＲＧＢのうち一番大きい値を出力するための最大入力値選択出力回路、１２は最大入力値選択出力回路１１の出力と表示装置において表示可能な最大値Ｃｍａｘとを比較出力するための比較器、１３は最大入力値選択出力回路１１の出力と表示装置において表示可能な最大値とを比較器１２の出力に応じて切替えて出力するための切替回路、１４は切替回路１３の出力を隣接画素と平滑化するためのＬＰＦ、１５は表示装置において表示可能な最大値をＬＰＦ１４の出力で除算した結果を出力するための除算器、１６，１７，１８はＲＧＢの各入力に対して除算器１５の出力を乗算した結果を出力するための乗算器である。
【０００８】
ここで、前記ＬＰＦ１４は、係数乗算時に周辺画素との平滑化を行うことで、クリップ時に階調がなくなり色表現範囲が狭くなる問題を回避する役割を担う回路であり、本発明が解決しようとする課題とは基本的に無関係であるため、以降ＬＰＦを省略して説明する。
【０００９】
具体的な処理は、入力色信号が、表示装置において表示可能な最大値Ｃｍａｘより大きい場合に、ＲＧＢ信号のうち最も大きい値を選択し、これを最大値にクリップするような係数をＲＧＢ各信号と乗算することで、ＲＧＢ各信号の比を一定とし、クリップ時の色相および彩度の変化を回避している。
【００１０】
すなわち、数式を用いて表せば、Ｒｏｕｔ＝Ｒｉｎ＊Ｃｍａｘ／Ｍａｘ（Ｒｉｎ，Ｇｉｎ，Ｂｉｎ）、Ｇｏｕｔ＝Ｇｉｎ＊Ｃｍａｘ／Ｍａｘ（Ｒｉｎ，Ｇｉｎ，Ｂｉｎ）、Ｂｏｕｔ＝Ｂｉｎ＊Ｃｍａｘ／Ｍａｘ（Ｒｉｎ，Ｇｉｎ，Ｂｉｎ）となる。
【００１１】
図１６は、前記公報における色信号の入出力特性を示したグラフの一例である。図１６に示すように、ＲＧＢ信号のうち最も大きい信号であるＧ信号がクリップされると、他のＲ信号、Ｂ信号もＧ信号のクリップ処理が始まる時点での値でクリップすることで、ＲＧＢの比を一定に保ち色相および彩度の変化を回避している。
【００１２】
【発明が解決しようとする課題】
しかし、前記公報に記載されたピーククリップ回路では、クリップ時の処理が色相および彩度不変であるため、明度の低下を引き起こすという問題がある。
例えば、入力色信号を（Ｒ，Ｇ，Ｂ）＝（３００，２００，８０）とし、表示装置における表示可能な最大値を２５５として考えると、前記公報に記載されたピークリップ回路における処理結果では、（Ｒ，Ｇ，Ｂ）＝（２５５，１７０，６８）となる。
【００１３】
これを明度として一般的な輝度信号（Ｙ＝０．３＊Ｒ＋０．６＊Ｇ＋０．１＊Ｂ）を用いて評価すると、前記公報に記載されたピークリップ回路における処理では、輝度が当初の２１８から１８５．３へ低下していることが分かる。
【００１４】
すなわち、前記公報に記載されたピーククリップ回路では、彩度が高い色信号に対しては明度値が低い状態で飽和してしまうという問題がある。
また、上記公報に記載されたピークリップ回路では、ＲＧＢ値の下限クリップに関する記述はなく、最小入力値が表示装置における表示可能な最小値よりも小さい場合には、従来のクリップ処理と同様に色相、彩度、明度が変化してしまうという問題がある。
【００１５】
本発明は、上述した問題点を解決するためになされたもので、色相および明度を変化させずに入力色信号を特定の色信号レベルにクリップすることができる映像信号クリップ処理装置を提供することを目的とする。
【００１６】
【課題を解決するための手段】
本発明は、上述した目的を達成するため、以下の特徴点を備えている。
すなわち、本発明に係る映像信号クリップ処理装置は、入力データであるＲＧＢ信号からその大小関係である最大値α、中央値β、および最小値γを選択してＲＧＢ信号とαβγ信号との対応を決定する識別信号Ｓを生成する大小選択手段と、入力ＲＧＢ信号から明度Ｙを演算して出力するＲＧＢによる明度演算手段と、前記大小選択手段から出力されたαβγ信号、前記明度演算手段から出力された明度Ｙ、および設定値である上限クリップ値Ｃｍａｘを用いてαβγ信号に対するクリップ処理を行い出力する上限クリップ処理手段と、前記上限クリップ処理手段から出力されたαβγ信号と前記大小選択手段から出力された識別信号Ｓを用いてαβγ信号からＲＧＢ信号へ戻すＲＧＢ選択手段とを備えたことを特徴とするものである。
【００１７】
また、本発明に係る映像信号クリップ処理装置は、入力データであるＲＧＢ信号からその大小関係である最大値α、中央値β、および最小値γを選択してＲＧＢ信号とαβγ信号との対応を決定する識別信号Ｓを生成する大小選択手段と、前記大小選択手段から出力されたαβγ信号から明度Ｘを演算して出力するαβγによる明度演算手段と、前記大小選択手段から出力されたαβγ信号、前記明度演算手段から出力された明度Ｘ、および設定値である上限クリップ値Ｃｍａｘを用いて、αβγ信号に対するクリップ処理を行い出力する上限クリップ処理手段と、前記上限クリップ処理手段から出力されたαβγ信号と前記大小選択手段から出力された識別信号Ｓを用いて、αβγ信号からＲＧＢ信号へ戻すＲＧＢ選択手段とを備えたことを特徴とするものである。
【００１８】
また、本発明に係る映像信号クリップ処理装置は、入力データであるＲＧＢ信号からその大小関係である最大値α、中央値β、および最小値γを選択しＲＧＢ信号とαβγ信号との対応を決定する識別信号Ｓを生成する大小選択手段と、入力ＲＧＢ信号から明度Ｙを演算して出力するＲＧＢによる明度演算手段と、前記大小選択手段から出力されたαβγ信号、前記明度演算手段から出力された明度Ｙ、および設定値である下限クリップ値Ｃｍｉｎを用いて、αβγ信号に対するクリップ処理を行い出力する下限クリップ処理手段と、前記下限クリップ処理手段から出力されたαβγ信号と前記大小選択手段から出力された識別信号Ｓを用いて、αβγ信号からＲＧＢ信号へ戻すＲＧＢ選択手段とを備えたことを特徴とするものである。
【００１９】
また、本発明に係る映像信号クリップ処理装置は、入力データであるＲＧＢ信号からその大小関係である最大値α、中央値β、および最小値γを選択してＲＧＢ信号とαβγ信号との対応を決定する識別信号Ｓを生成する大小選択手段と、前記大小選択手段から出力されたαβγ信号から明度Ｘを演算して出力するαβγによる明度演算手段と、前記大小選択手段から出力されたαβγ信号、前記明度演算手段から出力された明度Ｘ、および設定値である下限クリップ値Ｃｍｉｎを用いて、αβγ信号に対するクリップ処理を行い出力する下限クリップ処理手段と、前記下限クリップ処理手段から出力されたαβγ信号と前記大小選択手段から出力された識別信号Ｓを用いて、αβγ信号からＲＧＢ信号へ戻すＲＧＢ選択手段とを備えたことを特徴とするものである。
【００２０】
また、本発明に係る映像信号クリップ処理装置は、入力データであるＲＧＢ信号からその大小関係である最大値α、中央値β、および最小値γを選択してＲＧＢ信号とαβγ信号との対応を決定する識別信号Ｓを生成する大小選択手段と、入力ＲＧＢ信号から明度Ｙを演算して出力するＲＧＢによる明度演算手段と、前記明度演算手段から出力された明度Ｙと設定値である上限クリップ値Ｃｍａｘを用いて、αβγ信号に対するクリップ処理を行い出力する上限クリップ処理手段と、前記明度演算手段から出力された明度Ｙと設定値である下限クリップ値Ｃｍｉｎを用いて、αβγ信号に対するクリップ処理を行い出力する下限クリップ処理手段と、前記上限クリップ処理手段および前記下限クリップ処理手段から出力されたαβγ信号と前記大小選択手段から出力された識別信号Ｓを用いて、αβγ信号からＲＧＢ信号へ戻すＲＧＢ選択手段とを備えたことを特徴とするものである。
【００２１】
また、本発明に係る映像信号クリップ処理装置は、入力データであるＲＧＢ信号からその大小関係である最大値α、中央値β、および最小値γを選択してＲＧＢ信号とαβγ信号との対応を決定する識別信号Ｓを生成する大小選択手段と、前記大小選択手段から出力されたαβγ信号から明度Ｘを演算して出力するαβγによる明度演算手段と、前記明度演算手段から出力された明度Ｘと設定値である上限クリップ値Ｃｍａｘを用いて、αβγ信号に対するクリップ処理を行い出力する上限クリップ処理手段と、前記明度演算手段から出力された明度Ｘと設定値である下限クリップ値Ｃｍｉｎを用いて、αβγ信号に対するクリップ処理を行い出力する下限クリップ処理手段と、前記上限クリップ処理手段および前記下限クリップ処理手段から出力されたαβγ信号と前記大小選択手段から出力された識別信号Ｓを用いて、αβγ信号からＲＧＢ信号へ戻すＲＧＢ選択手段とを備えたことを特徴とするものである。
【００２２】
また、本発明は、前記上限クリップ処理手段として、前記最大値αと前記上限クリップ値Ｃｍａｘ、および前記明度ＹまたはＸと前記上限クリップ値Ｃｍａｘを比較して前記最大値αが前記上限クリップ値Ｃｍａｘよりも小さい場合には、前記最大値α、前記中央値β、および前記最小値γをそのまま出力し、前記最大値αが前記上限クリップ値Ｃｍａｘより大きく且つ前記明度ＹまたはＸが前記上限クリップ値Ｃｍａｘより大きい場合には、前記最大値α、前記中央値β、および前記最小値γを前記上限クリップ値Ｃｍａｘとして出力し、前記最大値αが前記上限クリップ値Ｃｍａｘより大きく且つ前記明度ＹまたはＸが前記上限クリップ値Ｃｍａｘより小さい場合には、前記最大値αを前記上限クリップ値Ｃｍａｘとして出力し、前記中央値βおよび前記最小値γを前記明度ＹまたはＸへ近づくように調整し、前記明度ＹまたはＸが前記上限クリップ値Ｃｍａｘと等しくなると、前記中央値βおよび前記最小値γが前記上限クリップ値Ｃｍａｘとなるように演算して出力する手段を有することが好ましい。
【００２３】
また、本発明は、前記下限クリップ処理手段として、前記最小値γと前記下限クリップ値Ｃｍｉｎ、および前記明度ＹまたはＸと前記下限クリップ値Ｃｍｉｎを比較して前記最小値γが前記下限クリップ値Ｃｍｉｎよりも大きい場合には、前記最大値α、前記中央値β、および前記最小値γをそのまま出力し、前記最小値γが前記下限クリップ値Ｃｍｉｎより小さく且つ前記明度ＹまたはＸが前記下限クリップ値Ｃｍｉｎより小さい場合には、前記最大値α、前記中央値β、および前記最小値γを前記下限クリップ値Ｃｍｉｎとして出力し、前記最小値γが前記下限クリップ値Ｃｍｉｎより小さく且つ前記明度ＹまたはＸが前記下限クリップ値Ｃｍｉｎより大きい場合には、前記最小値γを前記下限クリップ値Ｃｍｉｎとして出力し、前記中央値βおよび前記最大値αを前記明度ＹまたはＸへ近づくように調整し、前記明度ＹまたはＸが前記下限クリップ値Ｃｍｉｎと等しくなると、前記中央値βおよび前記最大値αが前記下限クリップ値Ｃｍｉｎとなるように演算して出力する手段を有することが好ましい。
【００２４】
また、本発明は、前記ＲＧＢによる明度演算手段において、ａ＋ｂ＋ｃ＝１を満たす任意の係数ａ、ｂ、ｃを用いて、Ｙ＝ａ＊Ｒ＋ｂ＊Ｇ＋ｃ＊Ｂを演算して出力する手段を有することが好ましい。
【００２５】
また、本発明は、前記αβγによる明度演算手段において、ａ＋ｂ＋ｃ＝１を満たす任意の係数ａ、ｂ、ｃを用いて、Ｘ＝ａ＊α＋ｂ＊β＋ｃ＊γを演算して出力する手段を有することが好ましい。
【００２６】
【発明の実施の形態】
以下、本発明に係る映像信号クリップ処理装置の実施形態について図面を参照して詳細に説明する。
図１〜図４は、本発明に係る映像信号クリップ処理装置の実施形態１であって、図１は本発明の実施形態１に係る映像信号クリップ処理装置の構成を示すブロック図、図２は前記映像信号クリップ処理装置における識別信号Ｓ１と最大値αｉ、中央値βｉ、最小値γｉに対応する入力値Ｒｉ、Ｇｉ、Ｂｉの関係の一例を示す説明図、図３は前記映像信号クリップ処理装置における上限クリップ処理器の処理の手順を示すフローチャート、図４は前記映像信号クリップ処理装置の入出力特性の一例を示す説明図である。
【００２７】
実施形態１の映像信号クリップ処理装置１００は、図１に示すように、入力データＲｉ、Ｇｉ、Ｂｉから最大値αｉ、中央値βｉ、最小値γｉを選択して出力するとともにその対応関係を識別する識別信号Ｓ１を生成して出力するための大小選択器１と、Ｒｉ、Ｇｉ、Ｂｉから明度値Ｙｉを算出して出力するためのＲＧＢによる明度演算器２と、αｉ、βｉ、γｉ、Ｙｉおよび上限クリップ値Ｃｍａｘからαｉ、βｉ、γｉに対してクリップ処理を行い処理後のαｏ、βｏ、γｏを出力するための上限クリップ処理器３と、αｏ、βｏ、γｏをＳ１に従って元のＲＧＢ信号へ戻して、Ｒｏ、Ｇｏ、Ｂｏを出力するためのＲＧＢ選択器４とを有して構成されている。
【００２８】
この映像信号クリップ処理装置１００において、入力された色データＲｉ、Ｇｉ、Ｂｉは大小選択器１に送られる。前記大小選択器１は、入力された色データＲｉ、Ｇｉ、Ｂｉに基づいて最大値αｉ、中央値βｉ、最小値γｉを選択して前記上限クリップ処理器３に出力するとともに、Ｒｉ、Ｇｉ、Ｂｉのうちαｉとなる信号、βｉとなる信号、γｉとなる信号を特定するための識別信号Ｓ１を生成してＲＧＢ選択器４に出力するようにされている。
【００２９】
前記識別信号１と、Ｒｉ、Ｇｉ、Ｂｉ、αｉ、βｉ、γｉの関係の一例を、図２の対応表に示す。なお、前記識別信号Ｓ１の値は、ＲＧＢ信号とαβγ信号の対応がとれていれば、如何なるものであっても構わない。
【００３０】
前記ＲＧＢによる明度演算器２は、Ｒｉ、Ｇｉ、Ｂｉから入力データの明度Ｙｉとしてａ＋ｂ＋ｃ＝１を満たす任意の係数ａ、ｂ、ｃを用いてＹｉ＝ａ＊Ｒｉ＋ｂ＊Ｇｉ＋ｃ＊Ｂｉを演算して出力する。
【００３１】
具体的には、テレビ信号処理等で使用される輝度（Ｙｉ＝０．３＊Ｒｉ＋０．６＊Ｇｉ＋０．１＊Ｂｉ）またはＲＧＢ信号の平均値（Ｙｉ＝０．３３３＊Ｒｉ＋０．３３３＊Ｇｉ＋０．３３３＊Ｂｉ）を演算するのが一般的であるが、ａ＋ｂ＋ｃ＝１を満たせば如何なる値であってもよい。
【００３２】
前記上限クリップ処理器３は、αｉと上限クリップ値Ｃｍａｘを比較して、クリップ処理が必要な場合にαｉ、βｉ、γｉに対してクリップ処理を行い、処理後のαｏ、βｏ、γｏを出力する。
【００３３】
ここで、実施形態１に係る映像信号クリップ処理装置における上限クリップ処理器３の処理の手順についてフローチャートを参照して説明する。
上限クリップ処理器３では、図３に示すように、αｉ、βｉ、γｉ、Ｙｉ、Ｃｍａｘを入力し（Ｓ１）、αｉとＣｍａｘとを比較するとともに（Ｓ２）、ＹｉとＣｍａｘとを比較する（Ｓ３）。
【００３４】
Ｓ２において、αｉがＣｍａｘより小さい場合には、クリップ処理の必要がないので入力値をそのまま出力し、αｏ＝αｉ、βｏ＝βｉ、γｏ＝γｉとなる（Ｓ４）。
【００３５】
一方、αｉがＣｍａｘより大きい場合には、αｏ＝Ｃｍａｘとクリップし、βｏ＝βｉ＋（αｉ−Ｃｍａｘ）＊（Ｙｉ−βｉ）／（αｉ−Ｙｉ）、γｏ＝γｉ＋（αｉ−Ｃｍａｘ）＊（Ｙｉ−γｉ）／（αｉ−Ｙｉ）と演算して出力する（Ｓ５）。
これにより、クリップ処理の前後で色相および明度は一定に保たれる。
【００３６】
また、クリップ処理時にＹｉがＣｍａｘよりも大きい場合には、Ｙｉ＝Ｃｍａｘとクリップするために、αｏ＝Ｃｍａｘ，βｏ＝Ｃｍａｘ、γｏ＝Ｃｍａｘを出力する（Ｓ６）。
【００３７】
そして、ＲＧＢ選択器４は、αｏ、βｏ、γｏをＳ１に従って元のＲＧＢ信号に戻し、クリップ処理後の色信号Ｒｏ、Ｇｏ、Ｂｏを出力する（Ｓ７）。
【００３８】
次に、実施形態１に係る映像信号クリップ処理装置の入出力特性についてグラフを参照して説明する。
映像信号クリップ処理装置１００において、入力信号のうち最も大きいＧ信号の出力値が上限クリップ値Ｃｍａｘよりも大きい場合には、図４に示すように、Ｇ信号が上限クリップ値Ｃｍａｘへクリップされる。Ｒ信号、Ｂ信号はＧ信号のクリップ処理が始まる時点での値と明度信号Ｙが上限クリップ値Ｃｍａｘとなる値とを結んだ線分上の値へと演算される。
【００３９】
すなわち、Ｒ信号は（ＩＮＰＵＴ、ＯＵＴＰＵＴ）＝（Ｃｍａｘ、Ｃｒ）と（ＩＮＰＵＴ、ＯＵＴＰＵＴ）＝（Ｃｙ、Ｃｍａｘ）を結ぶ線分、Ｂ信号は（ＩＮＰＵＴ、ＯＵＴＰＵＴ）＝（Ｃｍａｘ、Ｃｂ）と（ＩＮＰＵＴ、ＯＵＴＰＵＴ）＝（Ｃｙ、Ｃｍａｘ）を結ぶ線分へと変化する。
この処理は、Ｇ信号の減少に伴い、Ｒ信号およびＢ信号を上記のように増減させることによって、クリップ処理時の色相および明度の変化を回避するものである。
【００４０】
また、明度Ｙが上限クリップ値Ｃｍａｘよりも大きい場合には、表示装置において表示可能な明度の最大値を上回ってしまい明度を一定にすることができないため、表示可能な最大値、すなわち（Ｒ、Ｇ、Ｂ）＝（Ｃｍａｘ、Ｃｍａｘ、Ｃｍａｘ）とクリップする。
【００４１】
次に、本発明に係る映像信号クリップ処理装置の実施形態２について図面を参照して説明する。
図５、図６は、本発明に係る映像信号クリップ処理装置の実施形態２であって、図５は本発明の実施形態２に係る映像信号クリップ処理装置の構成を示すブロック図、図６は前記映像信号クリップ処理装置の入出力特性の一例を示す説明図である。
なお、図５において、前記実施形態に係る映像信号クリップ処理装置と同様の機能を有する部分には同一の符号を付してある。
【００４２】
実施形態２の映像信号クリップ処理装置２００は、図５に示すように、大小選択器１、上限クリップ処理器３およびＲＧＢ選択器４を備え、且つαｉ、βｉ、γｉから明度値Ｘｉを算出して出力するためのαβγによる明度演算器５を有して構成されている。
【００４３】
前記映像信号クリップ処理装置２００では、入力された色データＲｉ、Ｇｉ、Ｂｉは大小選択器１に送られ、大小選択器１はＲｉ、Ｇｉ、Ｂｉに基づいて、最大値αｉ、中央値βｉ、最小値γｉ、識別信号Ｓ１を生成して出力する。
【００４４】
前記αβγによる明度演算器５は、αｉ、βｉ、γｉから入力データの明度Ｘｉとしてａ＋ｂ＋ｃ＝１を満たす任意の係数ａ、ｂ、ｃを用いてＸｉ＝ａ＊αｉ＋ｂ＊βｉ＋ｃ＊γｉを演算し出力する。
具体的には、Ｘｉ＝０．５＊αｉ＋０．５＊γｉなどが挙げられるが、ａ＋ｂ＋ｃ＝１を満たせば如何なる値であってもよい。
【００４５】
前記αβγによる明度演算器５から出力された明度Ｘｉは、上限クリップ処理器３に送られ、αｉ、βｉ、γｉのクリップ処理の演算に利用される。
前記上限クリップ処理器３は、αｉと上限クリップ値Ｃｍａｘを比較して、クリップ処理が必要な場合にαｉ、βｉ、γｉに対してクリップ処理を行い、処理後のαｏ、βｏ、γｏを出力する。
【００４６】
前記上限クリップ処理器３によってクリップ処理されたαｏ、βｏ、γｏは、ＲＧＢ選択器４に送られ、識別信号Ｓ１に基づいて、αβγ信号からＲＧＢ信号へと戻しクリップ処理後の色信号Ｒｏ、Ｇｏ、Ｂｏとして出力される。
【００４７】
このように、実施形態２に係る映像信号クリップ処理装置２００は、実施形態１に係る映像信号クリップ処理装置１００と比較して、ＲＧＢ信号から算出していた明度を、αβγ信号から算出するようにして、以後、算出した明度に基づいて処理を行うようにしたものである。
【００４８】
次に、実施形態２に係る映像信号クリップ処理装置の入出力特性についてグラフを参照して説明する。
図６は、実施形態２に係る映像信号クリップ処理装置の入出力特性の一例を示すグラフであって、前述した図４に示す実施形態１のグラフと比較して、一定とする明度の値が異なるだけで基本的な動作は同一であり、クリップ処理による色相および明度の変化は生じない。
【００４９】
次に、本発明に係る映像信号クリップ処理装置の実施形態３について図面を参照して説明する。
図７〜図９は、本発明に係る映像信号クリップ処理装置の実施形態３であって、図７は本発明の実施形態３に係る映像信号クリップ処理装置の構成を示すブロック図、図８は前記映像信号クリップ処理装置における下限クリップ処理器の処理の手順を示すフローチャート、図９は前記映像信号クリップ処理装置の入出力特性の一例を示す説明図である。
なお、図７において、上記各実施形態に係る映像信号クリップ処理装置と同様の機能を有する部分には同一の符号を付してある。
【００５０】
実施形態３の映像信号クリップ処理装置３００は、図７に示すように、大小選択器１、ＲＧＢによる明度演算器２およびＲＧＢ選択器４を備え、且つαｉ、βｉ、γｉ、Ｙｉおよび下限クリップ値Ｃｍｉｎからαｉ、βｉ、γｉに対してクリップ処理を行い、処理後のαｏ、βｏ、γｏを出力するための下限クリップ処理器６を有して構成されている。
【００５１】
前記映像信号クリップ処理装置３００では、入力された色データＲｉ、Ｇｉ、Ｂｉは大小選択器１に送られ、大小選択器１はＲｉ、Ｇｉ、Ｂｉに基づいて最大値αｉ、中央値βｉ、最小値γｉ、識別信号Ｓ１を生成して出力する。
【００５２】
前記ＲＧＢによる明度演算器２は、Ｒｉ、Ｇｉ、Ｂｉから入力データの明度Ｙｉを算出し、出力された明度Ｙｉは、下限クリップ処理器６に送られる。
前記下限クリップ処理器６は、γｉと下限クリップ値Ｃｍｉｎを比較して、クリップ処理が必要な場合に、αｉ、βｉ、γｉに対してクリップ処理を行い、処理後のαｏ、βｏ、γｏを出力する。
【００５３】
次に、実施形態３に係る映像信号クリップ処理装置における下限クリップ処理器６の処理の手順についてフローチャートを参照して説明する。
下限クリップ処理器６では、図８に示すように、αｉ、βｉ、γｉ、Ｙｉ、Ｃｍｉｎを入力し（Ｓ１１）、γｉとＣｍｉｎとを比較するとともに（Ｓ１２）、ＹｉとＣｍｉｎを比較する（Ｓ１３）。
【００５４】
Ｓ１２において、γｉがＣｍｉｎより大きい場合には、クリップ処理の必要がないので入力値をそのまま出力し、αｏ＝αｉ、βｏ＝βｉ、γｏ＝γｉとなる（Ｓ１４）。
【００５５】
一方、γｉがＣｍｉｎより小さい場合には、γｏ＝Ｃｍｉｎとクリップし、βｏ＝βｉ＋（γｉ−Ｃｍｉｎ）＊（βｉ−Ｙｉ）／（Ｙｉ−γｉ）、αｏ＝αｉ＋（γｉ−Ｃｍｉｎ）＊（αｉ−Ｙｉ）／（Ｙｉ−γｉ）と演算して出力する（Ｓ１５）。
これにより、クリップ処理の前後で色相および明度は一定に保たれる。
【００５６】
また、クリップ処理時にＹｉがＣｍｉｎよりも小さい場合には、Ｙｉ＝Ｃｍｉｎとクリップするために、αｏ＝Ｃｍｉｎ，βｏ＝Ｃｍｉｎ、γｏ＝Ｃｍｉｎを出力する（Ｓ１６）。
【００５７】
そして、下限クリップ処理器６によってクリップ処理されたαｏ、βｏ、γｏは、ＲＧＢ選択器４に送られ、識別信号Ｓ１に基づいてαβγ信号からＲＧＢ信号へと戻され、クリップ処理後の色信号Ｒｏ、Ｇｏ、Ｂｏとして出力する（Ｓ１７）。
【００５８】
次に、実施形態３に係る映像信号クリップ処理装置の入出力特性についてグラフを参照して説明する。
映像信号クリップ処理装置３００において、入力信号のうち最も小さいＢ信号の出力値が下限クリップ値Ｃｍｉｎよりも小さい場合には、図９に示すように、Ｂ信号がＣｍｉｎへクリップされる。Ｒ信号、Ｇ信号はＢ信号のクリップ処理が始まる時点での値と明度信号ＹがＣｍｉｎとなる値とを結んだ線分上の値へと演算される。
【００５９】
すなわち、Ｒ信号は（ＩＮＰＵＴ、ＯＵＴＰＵＴ）＝（Ｃｙ、Ｃｍｉｎ）と（ＩＮＰＵＴ、ＯＵＴＰＵＴ）＝（Ｃｍｉｎ、Ｃｒ）を結ぶ線分、Ｇ信号は（ＩＮＰＵＴ、ＯＵＴＰＵＴ）＝（Ｃｙ、Ｃｍｉｎ）と（ＩＮＰＵＴ、ＯＵＴＰＵＴ）＝（Ｃｍｉｎ、Ｃｇ）を結ぶ線分へと変化する。
この処理は、Ｂ信号の減少にともない、Ｒ信号およびＧ信号を上記のように増減させることによって、クリップ処理時の色相および明度の変化を回避するものである。
【００６０】
また、明度Ｙが下限クリップ値Ｃｍｉｎよりも小さい場合には、表示装置において表示可能な明度の最小値を下回ってしまい、明度を一定にすることができないため、表示可能な最小値、すなわち（Ｒ、Ｇ、Ｂ）＝（Ｃｍｉｎ、Ｃｍｉｎ、Ｃｍｉｎ）とクリップする。
【００６１】
次に、本発明に係る映像信号クリップ処理装置の実施形態４について図面を参照して説明する。
図１０、図１１は本発明に係る映像信号クリップ処理装置の実施形態４であって、図１０は本発明の実施形態４に係る映像信号クリップ処理装置の構成を示すブロック図、図１１は前記映像信号クリップ処理装置の入出力特性の一例を示す説明図である。
なお、図１０において、上記各実施形態に係る映像信号クリップ処理装置と同様の機能を有する部分には同一の符号を付してある。
【００６２】
実施形態４の映像信号クリップ処理装置４００は、図１０に示すように、大小選択器１、αβγによる明度演算器５、下限クリップ処理器６およびＲＧＢ選択器４を有して構成されている。
【００６３】
前記映像信号クリップ処理装置４００では、入力された色データＲｉ、Ｇｉ、Ｂｉは大小選択器１に送られ、大小選択器１はＲｉ、Ｇｉ、Ｂｉに基づいて最大値αｉ、中央値βｉ、最小値γｉ、識別信号Ｓ１を生成して出力する。
【００６４】
前記αβγによる明度演算器５は、αｉ、βｉ、γｉから入力データの明度Ｘｉを算出し、出力された明度Ｘｉは、下限クリップ処理器６に送られる。
前記下限クリップ処理器６は、γｉと下限クリップ値Ｃｍｉｎを比較しクリップ処理が必要な場合に、αｉ、βｉ、γｉに対してクリップ処理を行い、処理後のαｏ、βｏ、γｏを出力する。
【００６５】
前記下限クリップ処理器６によってクリップ処理されたαｏ、βｏ、γｏは、ＲＧＢ選択器４に送られ、識別信号Ｓ１に基づいてαβγ信号からＲＧＢ信号へと戻され、クリップ処理後の色信号Ｒｏ、Ｇｏ、Ｂｏとして出力する。
【００６６】
このように、前記映像信号クリップ処理装置４００は、実施形態３に係る映像信号クリップ処理装置３００と比較して、ＲＧＢ信号から算出していた明度を、αβγ信号から算出するようにして、以後、算出した明度に基づいて処理を行うようにしたものである。
【００６７】
次に、実施形態４に係る映像信号クリップ処理装置の入出力特性についてグラフを参照して説明する。
図１１は、実施形態４に係る映像信号クリップ処理装置の入出力特性の一例を示すグラフであって、前述した図９に示す実施形態３のグラフと比較して、一定とする明度の値が異なるだけで基本的な動作は同一であり、クリップ処理による色相および明度の変化は生じない。
【００６８】
次に、本発明に係る映像信号クリップ処理装置の実施形態５について図面を参照して説明する。
図１２は本発明の実施形態５に係る映像信号クリップ処理装置の構成を示すブロック図である。なお、図１２において、上記各実施形態に係る映像信号クリップ処理装置と同様の機能を有する部分には同一の符号を付してある。
【００６９】
実施形態５の映像信号クリップ処理装置５００は、図１２に示すように、大小選択器１、ＲＧＢによる明度演算器２、上限クリップ処理器３、下限クリップ処理器６およびＲＧＢ選択器４を有して構成されている。
【００７０】
前記映像信号クリップ処理装置５００では、入力された色データＲｉ、Ｇｉ、Ｂｉは大小選択器１に送られ、大小選択器１はＲｉ、Ｇｉ、Ｂｉに基づいて、最大値αｉ、中央値βｉ、最小値γｉ、識別信号Ｓ１を生成して出力する。
【００７１】
前記ＲＧＢによる明度演算器２は、Ｒｉ、Ｇｉ、Ｂｉから入力データの明度Ｙｉを算出し、出力された明度Ｙｉは、上限クリップ処理器３および下限クリップ処理器６に送られる。
前記上限クリップ処理器３は、αｉと上限クリップ値Ｃｍａｘを比較してクリップ処理が必要な場合には、αｉ、βｉ、γｉに対して上限クリップ処理を行い、処理後のαｍ、βｍ、γｍを出力する。
【００７２】
前記下限クリップ処理器６は、γｍと下限クリップ値Ｃｍｉｎを比較してクリップ処理が必要な場合には、上限クリップ処理器３から送られたαｍ、βｍ、γｍに対して下限クリップ処理を行い、処理後のαｏ、βｏ、γｏを出力する。
前記下限クリップ処理器６によってクリップ処理されたαｏ、βｏ、γｏは、ＲＧＢ選択器４に送られ、識別信号Ｓ１に基づいて、αβγ信号からＲＧＢ信号へと戻され、クリップ処理後の色信号Ｒｏ、Ｇｏ、Ｂｏとして出力する。
【００７３】
このように、前記映像信号クリップ処理装置５００は、実施形態１における上限クリップ処理、および実施形態３における下限クリップ処理の双方を行い、色相および彩度を変化させずに入力色信号を特定の色信号範囲Ｃｍｉｎ＜ＲＧＢ＜Ｃｍａｘと制限することができる。
【００７４】
なお、実施形態５に係る映像信号クリップ処理装置において、上限クリップ処理と下限クリップ処理はどちらを先に行ってもよい。したがって、図１２に示す装置構成において、下限クリップ処理器６の後段に上限クリップ処理器３を配置することもできる。
【００７５】
次に、本発明に係る映像信号クリップ処理装置の実施形態６について図面を参照して説明する。
図１３は本発明の実施形態６に係る映像信号クリップ処理装置の構成を示すブロック図である。なお、図１３において、上記各実施形態に係る映像信号クリップ処理装置と同様の機能を有する部分には同一の符号を付してある。
【００７６】
実施形態６の映像信号クリップ処理装置６００は、図１３に示すように、大小選択器１、αβγによる明度演算器５、下限クリップ処理器６、上限クリップ処理器３およびＲＧＢ選択器４を有して構成されている。
【００７７】
前記映像信号クリップ処理装置６００では、入力された色データＲｉ、Ｇｉ、Ｂｉは大小選択器１に送られ、大小選択器１はＲｉ、Ｇｉ、Ｂｉに基づいて、最大値αｉ、中央値βｉ、最小値γｉ、識別信号Ｓ１を生成して出力する。
【００７８】
前記αβγによる明度演算器５は、αｉ、βｉ、γｉから入力データの明度Ｘｉを算出し、出力された明度Ｘｉは、下限クリップ処理器６および上限クリップ処理器３に送られる。
前記下限クリップ処理器６は、γｉと下限クリップ値Ｃｍｉｎを比較して、クリップ処理が必要な場合には、αｉ、βｉ、γｉに対して下限クリップ処理を行い、処理後のαｍ、βｍ、γｍを出力する。
【００７９】
前記上限クリップ処理器３は、αｍと上限クリップ値Ｃｍａｘを比較してクリップ処理が必要な場合には、下限クリップ処理器６から送られたαｍ、βｍ、γｍ対して上限クリップ処理を行い、処理後のαｏ、βｏ、γｏを出力する。
前記上限クリップ処理器３によってクリップ処理されたαｏ、βｏ、γｏは、ＲＧＢ選択器４に送られ、識別信号Ｓ１に基づいて、αβγ信号からＲＧＢ信号へと戻され、クリップ処理後の色信号Ｒｏ、Ｇｏ、Ｂｏとして出力する。
【００８０】
このように、前記映像信号クリップ処理装置６００は、実施形態５に係る映像信号クリップ処理装置においてＲＧＢ信号から算出していた明度を、αβγ信号から算出するようにして、以後、算出した明度に基づいて処理を行うようにしたものである。
【００８１】
なお、実施形態６に係る映像信号クリップ処理装置において、上限クリップ処理と下限クリップ処理はどちらを先に行ってもよい。したがって、図１３に示す装置構成において、上限クリップ処理器３の後段に下限クリップ処理器６を配置することもできる。
【００８２】
【発明の効果】
以上説明したように、本発明に係る映像信号クリップ処理装置によれば、入力色信号レベルよりも表示装置において、表示可能な信号レベルが狭い場合のクリップ処理に関して、入力色信号のどれか一つがクリップされた場合に、他の色信号を入力明度に近づくように調整し、入力明度が限界クリップ値と等しくなると、他の色信号も限界クリップ値となるように演算して出力することで、クリップ処理の前後における色相および明度を一定とすることができる。
【００８３】
また、本発明に係る映像信号クリップ処理装置によれば、入力された色信号に対して色調整等の信号処理を行った際に、処理の結果として特定の信号レベル範囲を超えてしまい、クリップ処理が必要な場合であっても、クリップ処理の前後における色相および明度を一定とすることができる。
【００８４】
また、本発明に係る映像信号クリップ処理装置によれば、色信号の明度が大きい場合には有彩色の信号が白色に近づくような処理を行い、色信号の明度が小さい場合には有彩色の信号が黒色に近づくような処理を行う。すなわち、彩度を落とす処理を行うことにより、視覚的にも自然なクリップ処理を行うことができる。
【図面の簡単な説明】
【図１】本発明の実施形態１に係る映像信号クリップ処理装置の構成を示すブロック図である。
【図２】本発明の実施形態１に係る映像信号クリップ処理装置における識別信号Ｓ１と最大値αｉ、中央値βｉ、最小値γｉに対応する入力値Ｒｉ、Ｇｉ、Ｂｉの関係の一例を示す説明図である。
【図３】前記映像信号クリップ処理装置における上限クリップ処理器の処理の手順を示すフローチャートである。
【図４】前記映像信号クリップ処理装置の入出力特性の一例を示す説明図である。
【図５】本発明の実施形態２に係る映像信号クリップ処理装置の構成を示すブロック図である。
【図６】前記映像信号クリップ処理装置の入出力特性の一例を示す説明図である。
【図７】本発明の実施形態３に係る映像信号クリップ処理装置の構成を示すブロック図である。
【図８】前記映像信号クリップ処理装置における下限クリップ処理器の処理の手順を示すフローチャートである。
【図９】前記映像信号クリップ処理装置の入出力特性の一例を示す説明図である。
【図１０】本発明の実施形態４に係る映像信号クリップ処理装置の構成を示すブロック図である。
【図１１】前記映像信号クリップ処理装置の入出力特性の一例を示す説明図である。
【図１２】本発明の実施形態５に係る映像信号クリップ処理装置の構成を示すブロック図である。
【図１３】本発明の実施形態６に係る映像信号クリップ処理装置の構成を示すブロック図である。
【図１４】従来の映像信号クリップ処理装置における入出力特性の一例を示す説明図である。
【図１５】従来の映像信号クリップ処理装置の基本的な構成を示すブロック図である。
【図１６】従来の映像信号クリップ処理装置における入出力特性の一例を示す説明図である。
【符号の説明】
１　大小選択器
２　ＲＧＢによる明度演算器
３　上限クリップ処理器
４　ＲＧＢ選択器
５　αβγによる明度演算器
６　下限クリップ処理器
１１　最大入力値選択出力回路
１２　比較器
１３　切替回路
１４　ＬＰＦ
１５　除算器
１６，１７，１８　乗算器
【図１】
2004064234.tif 000003
【図２】
2004064234.tif 000004
【図３】
2004064234.tif 000005
【図４】
2004064234.tif 000006
【図５】
2004064234.tif 000007
【図６】
2004064234.tif 000008
【図７】
2004064234.tif 000009
【図８】
2004064234.tif 000010
【図９】
2004064234.tif 000011
【図１０】
2004064234.tif 000012
【図１１】
2004064234.tif 000013
【図１２】
2004064234.tif 000014
【図１３】
2004064234.tif 000015
【図１４】
2004064234.tif 000016
【図１５】
2004064234.tif 000017
【図１６】
2004064234.tif 000018